(57)【要約】      （修正有）【課題】穿いた状態での排尿、排便の排泄行為を確実、安全且迅速に可能とし、四季を通して着用する中に於いて、特に冬季の着用に優れ、健康面に優しく配慮した女性用パンティを提供する。【解決手段】下方向から長手方向に延びる布片部４を有する前身頃本体部３と、延長下方向に設ける覆い布７を有する後身頃本体部６とを伸縮性のある紐状部材８に依り環状に連結し、前身頃本体部３の最下端の先端部１４を後身頃本体部６の内面上段に縫付ける事によりパンティ１を形成し、前身頃本体部３正面上段に設けた凹形状をした磁石体の係止具１１と、後身頃本体部６の延長下方向に有する覆い布部７の最下端に設けた凸形状をした金属体の係合具１２との着脱により固定する。【選択図】図６
0003204763.tif 000002
【実用新案登録請求の範囲】
【請求項１】
本体部と、本体部の下方に設けられた長手方向中心部に切れ目と所定の空間が設けられた布片部とを有する前身頃本体と、
本体部と、本体部の下方に設けられた前記布片部を覆う為の覆い布部とを有する後身頃本体と、
前身頃本体と後身頃本体とを紐状部材により環状に連結して、胴口部を形成し、且、紐状部材の左右の両側には其々数個の飾り穴を備えて、
前身頃本体の本体部の表面に設けられた凸形状をした金属体である係合具が係止する凹形状をした磁石体である係止具と、
後身頃本体の覆い布部の先端に取り付けられ前記凹形状をした磁石体の係止具に着脱自在に係合する凸形状をした金属体の係合具と装飾鎖とを有して、
又、前記布片部の先端部が、後身頃本体の本体部内面に縫い付けられ、前記布片部に設けられた空間は、先端部側に向って拡大していることを特徴とする女性用パンティ。
【考案の詳細な説明】
【技術分野】
【０００１】  本考案は、シルク等の天然素材を取り入れたパンティ用生地を使用し、排泄行為時にパンティの着脱を不要とし、確実、安全且、迅速に可能と成る女性用パンティに関する。
【背景技術】
【０００２】  従来のパンティでは、排泄行為の際には、パンティを脱がなければ排泄が出来ない。冬の寒い季節に於いては、臀部や腰部を露出しなければ成らず寒さから逃れることが出来ない。その為にパンティを脱ぐ行為が億劫になり、我慢をする様になり、長期的に至れば、体内の腎臓に負担がかかり悪い影響を及ぼす可能性が出てくる事になる。
又、一方では、着脱を不要とし、排泄行為を可能とするパンツの考案もなされてはいたが、実用性に欠けた乏しいものであった。
【考案の概要】
【考案が解決しようとする課題】
【０００３】  先ず、「実開昭５３−０４４５１３号公報」に於いて『身障者、老人、病臥患者等が容易に用を足す事の出来るパンツに関するもの』が開示されているが、患者等が使用する専用の介護用パンツである。又、第４図に開示されているパンツは、排尿、排便の汚物は、パンツ内に排泄させるというものである。
この為、処理を容易にする為に、股間部を大きく抉り、開口を広くし、止着具を数個使用し、止着具の脱着により開閉をしているものである。
次に、「登録実用新案第３１３７９２９号公報」に於いて、小用時に前面を開放し易い下穿き用男性下着を開示しているが、この男性用下着を製造するのに、各部分毎に分けられた布片を縫い着する技術の開示がなされているものの、排尿、排便についての開示はされていない。
そして、「実開平０６−０１６４０２号公報」に於いて『用便及びナプキンを簡便にする事が出来る女性用局部ファスナー付きショートパンツに関するもの』が開示されているが、女性用パンティ生地は、伸縮性に富む生地を使用する為、局部周辺から局部隠蔽底部周りをコの字形にして、片手でのファスナーの開閉はスムーズに出来ない。又、開閉時に糸くずや物を挟む虞が生じトラブルの原因になる。
【課題を解決するための手段】
【０００４】  本パンティは、前身頃本体の延長下方向に設ける長手方向中心部に切れ目（スリット）と所定の空間を保持する布片部を有する前記前身頃本体と、後身頃本体の延長下方向に設ける前記布片部を覆う為の覆い布部を有する前記後身頃本体とを、紐状部材で環状に連結し、そして、前記前身頃本体より下方に延長される前記布片部の先端部を前記後身頃本体内面上段に縫付ける事により、本パンティが形成される。又、前記前身頃本体正面上段に設ける係止具と、前記後身頃本体の前記覆い布の最先端に設ける係合具との着脱による構成を具備することで、パンティを脱ぐ必要もなく、確実、安全且、迅速に排尿、排便の排泄行為が可能と成り、これにより上記課題を解決するものである。
【考案の効果】
【０００５】  本考案に係るパンティは、前記に記述している通り、之までの様に排泄行為の際に、パンティを脱ぐ必要は無く、四季を通しての着用となるが、特に冬の寒い季節に於いて、排泄行為が億劫にならなくなり、躊躇う事も解消される。そしてその事は長期的にみると健康面に於いて良い方向に作用し、実用性に於いても優れているものとなる。
【図面の簡単な説明】
【０００６】
【図１】本考案パンティの前身頃本体正面図である。
【図２】本考案パンティの後身頃本体の係合具を係止具から外した状態の正面図である。
【図３】本考案パンティの後身頃本体の背面図である。
【図４】本考案パンティの後身頃本体の係合具を係止具から外した状態の背面図である。
【図５】本考案パンティの前身頃本体と係止具、本考案パンティの後身頃本体と係合具と装飾鎖、そしてパンティ本体最上段にある胴口部の図である。
【図６】本考案に係るパンティの斜視図である。
【考案を実施するための形態】
【０００７】  本考案パンティについては、図面にもとづいて説明する。
パンティ１は、前身頃本体２と後身頃本体５とを胴口部を形成する紐状部材８に環状に連結して、構成されている。
【０００８】  紐状部材８には、飾り穴１０が其々左右に数ヶ所程度設けられ、飾り穴に使用するパーツが用意されている。そしてそのパーツを取り替える事により、使用者自らが着用するオリジナルなパンティが創作され、使用者本人が楽しめる様にしている。
使用するパーツとしては、主に（宝）石類やそれに似せた類の物や金属製や布製のフリル等のものが用意されている。
【０００９】  前記した前身頃本体２は、銀杏の葉の形状をした本体部３と、該本体部３の下方から長手方向に延びる布片部４とから構成されている。
尚、布片部の布幅に付いては、最小限度の布幅としている理由は、排泄する際に於いて、なるべく排泄物の付着を排除し、汚さなくする為である。
【００１０】  そして、前記布片部４は、長手方向中心部に切れ目（スリット）４ａを有し、該切れ目（スリット）４ａは、その先端に行くに従って間隔が拡がり、略三角形状の空間部１５が設けられている。
空間部１５が設けられる理由としては、手にトイレットペーパーを持ち、下方向（肛門）に移動させて、排泄器官周辺に付着した排泄物を綺麗に拭き取る事の出来る所定の空間をパンティ内に有する事が必要不可欠である為である。
また、この空間をパンティ内に有する事で、パンティを脱ぐ必要がなくなり、穿いたままで排泄行為が、確実に可能となるのである。
【００１１】  前記した本考案のパンティの布片部４は、その先端部１４が後述する後身頃本体５の本体部６の内面に縫い付けられている。
先端部１４を本体部６に縫い付ける事により前身頃本体２と後身頃本体５とを紐状部材８でもって環状に連結し、固定させる事で本考案パンティの形状となる。
【００１２】  尚、前身頃本体２の本体部３は、図５で示す一点鎖線Ｆで囲まれた部分を示し、この一点鎖線Ｆで囲まれていない下部が、布片部４となっている。
【００１３】  次に後身頃本体５について説明する。前記した後身頃本体５は、本体部６と、該本体部６より下方に延びる細長形状の覆い布部７とから構成されている。この覆い布部７は、前身頃本体２の下方に設けられた切れ目のある布片部４を覆う為に設けられている。
【００１４】  尚、後身頃本体５の本体部６は、図５で示す一点鎖線Ｂで囲まれた部分を示し、この一点鎖線Ｂで囲まれていない下部が、覆い布部７となっている。
【００１５】  前記した覆い布部７は、その端部に係合具１２が設けられている。係合具１２には、前記覆い布部７の端部に所定の間隔をおいて一方が取付けられた三本の装飾鎖１３、１３、１３とこの三本の装飾鎖１３、１３、１３他方側が束ねられた部分に取付けられた金属体とで構成されている。
【００１６】  一方、前記前身頃本体２の本体部３の表面の中央よりやや上方には、凹形状にした磁石体で構成された係止具１１が取付けられている。又、係合部１２は凸形状にした金属体である。この凹形状をした磁石体１１と凸形状をした金属体１２を使用する事により、磁石体１１に金属体１２を近づけるだけで、磁力により金属体１２を引き寄せ、迅速に且、確実に固定する事が可能となる。
【００１７】  本考案に於いては、係止具１１と係合具１２とは磁石体と金属体とで構成しているが、これに限るものではない。例えば、ホック又は、フック等で構成しても良い。
【００１８】  上記構成とした本考案女性用パンティに於いては、前身頃本体２の係止具１１から後身頃本体５の係合具１２を外すことにより、前記覆い布７が前身頃本体２の布片部４の切れ目（スリット）４ａから離れる様になる。この事によりパンティを脱がないで、排尿、排便の排泄行為が迅速に可能となる。
【００１９】本考案女性用パンティ１の前記紐状部材８は、パンティ１を穿いた状態に於いて、排泄行為を成す際には、前記紐状部材８は、前記覆い布７、前記係合具１２や前記装飾鎖１３等を前記紐状部材８に引っ掛けて保持する保持部９の役目も担うものである。
【００２０】上記の様に構成された女性用パンティに於ける排尿、排便時の作用について説明する。最初に先ず、排尿・排便時は、後身頃本体５の覆い布部７に設けられている係合具１２を前身頃本体２の本体部３に設けられている係止具１１から離脱させる。この離脱によって、前記覆い布部７が自由な状態となる。
【００２１】この自由な状態となった前記覆い布部７を前記紐状部材８に引っ掛けて保持する。パンティを穿き保持したままの状態で便座に座ると排尿、排便の排泄行為が可能となる。
【００２２】  上記の状態で便座に座ると、前身頃本体２の布片部４は、長手方向に切れ目４ａを有している為、この切れ目４ａが拡がり、排泄が可能となる。その際、この切れ目４ａに空間部１５が形成されている為、切れ目４ａの拡がりを助長する効果がある。
【００２３】  又、パンティの表面に凹形状をした磁石体である係止具１１を備えて、凸形状をした金属体である係合具１２とは、着脱に磁力を利用しているため、正確、安全且迅速さも加わり、実用的にも、又見映え性にも配慮している優れた女性用パンティとなっている。
【符号の説明】
【００２４】１−パンティ    ２−前身頃本体    ３−本体部    ４−布片部    ４ａ−切れ目
５−後身頃本体    ６−本体部    ７−覆い布部    ８−紐状部材    ９−保持部
１０−飾穴    １１−係止具    １２−係合具    １３−装飾鎖    １４−先端部
１５−空間部    Ｆ−前身頃本体境界    Ｂ−後身頃本体境界
【図１】
0003204763.tif 000003
【図２】
0003204763.tif 000004
【図３】
0003204763.tif 000005
【図４】
0003204763.tif 000006
【図５】
0003204763.tif 000007
【図６】
0003204763.tif 000008